(57)【要約】      （修正有）【課題】弦楽器の弦張りを、片手操作でも、簡単且つ確実に、しかも操作性よく行えるようにする弦巻装置を提供する。【解決手段】ヘッド部に設けられている弦巻装置のペグ３２の外周に、弦を挿入可能な第２の孔５２を備えたアウタスリーブを回転可能に嵌合させ、ペグ３２に形成されている弦を挿入可能な第１の孔４０と第２の孔５２とを回転方向に整合させるための位置決め手段として、位置決めピン６２および切り欠き部６４を設ける。【選択図】図１６
2015043057.tif 000002
【特許請求の範囲】
【請求項１】
弦楽器のヘッド部に回転可能に取り付けられた円柱状の部材をなし、径方向に貫通し、弦を挿入可能な第１の孔を備えたペグと、
前記ペグを回転させ、且つ前記ペグを任意の回転位置に固定するペグ回転操作部と、
前記ペグの外周に回転可能に嵌合した円筒状の部材をなし、前記第１の孔の軸線方向に整合する位置において径方向に貫通し、弦を挿入可能な第２の孔を備えたアウタスリーブと、
前記第１の孔と前記第２の孔とを回転方向に整合させるための位置決め手段とを有する弦楽器の弦巻装置。
【請求項２】
前記位置決め手段は、前記ペグに対する前記アウタスリーブの回転を、前記第１の孔と前記第２の孔とが同心になる第１の回動位置と前記第１の回動位置より所定角度だけ回転変位した第２の回動位置との間の回動範囲に制限する回動制限機構を含んでいる請求項１に記載の弦楽器の弦巻装置。
【請求項３】
前記位置決め手段は、前記第１の孔と前記第２の孔とが同心になる回動位置に前記アウタスリーブが位置している状態の場合に、前記ペグと前記アウタスリーブとに形成された凹凸部が互いに係合するクリックストップ機構を含んでいる請求項１に記載の弦楽器の弦巻装置。
【請求項４】
前記位置決め手段は、前記ペグと前記アウタスリーブとに付けられて前記第１の孔と前記第２の孔とが同心になる回動位置に前記アウタスリーブが位置している状態の場合に互いに整合する目視可能なマークを含んでいる請求項１に記載の弦楽器の弦巻装置。
【請求項５】
前記第２の孔の開口面積が前記第１の孔の開口面積より大きく、前記第２の孔の開口部の外輪郭の全体が前記第１の孔の開口部の外輪郭の外側にある請求項１から４の何れか一項に記載の弦楽器の弦巻装置。
【請求項６】
前記アウタスリーブは両端部に径方向外方に延出したフランジを一体に有する請求項１から５の何れか一項に記載の弦楽器の弦巻装置。
【請求項７】
前記アウタスリーブは、軸線方向に延在するすり割りをし、Ｃ形状の横断面形状をなしている請求項１から６の何れか一項に記載の弦楽器の弦巻装置。
【発明の詳細な説明】
【技術分野】
【０００１】
本発明は弦楽器の弦巻装置に関する。
【背景技術】
【０００２】
ギターやチェロ等の弦楽器の弦巻装置は、径方向に貫通し弦を挿入可能な孔を備え、弦楽器のヘッド部に回転可能に取り付けられた円柱状のペグ（巻き上げ軸）と、ペグに固定されたウォームと手操作用のつまみを取り付けられたウォームホイールとによるウォームギヤ機構とを有する（例えば特許文献１）。この弦巻装置による弦の張り方は、弦の端部をペグの孔に通し、つまみの手操作によってウォームギヤ機構を動かしてペグを回転させる。このペグの回転によってペグの外周面に弦が巻き付けられ、弦の巻き付け量に応じて弦に張力が与えられる。そして、ウォームとウォームホイールとの噛み合いによってペグが任意の回転位置に固定されることにより、弦に張力が与えられた状態が維持される。
【先行技術文献】
【特許文献】
【０００３】
【特許文献１】再公表特許（国際公開）ＷＯ０２／０１９３１３号公報
【発明の概要】
【発明が解決しようとする課題】
【０００４】
弦に張力が与えられるためには、弦の端部がペグに係止されなければならない。上述のような弦巻では、ペグの孔に通された弦の端部上にペグの外周面に巻き付けられる弦を載せるように走らせ、弦の端部をペグの外周面に巻き付けられた弦によってペグの外周面に押し付けることにより、弦の端部をペグに係止することが行われる。
【０００５】
しかし、弦に所定値以上の張力が与えられるまでは、弦の端部がペグの外周面に十分に押し付けられていないため、弦の巻き上げに伴って弦の端部がペグの孔より抜け出す虞があるので、弦の端部を指先で?んだ状態で、弦の巻き上げのためのつまみ操作を行わなくてはならない両手操作になる。このため、弦張りの操作が面倒で、慣れを必要としている。特に、ポリアミド弦の場合には、弦の端部をペグに係止する作業が難しい。
【０００６】
本発明が解決しようとする課題は、弦楽器の弦張りを、片手操作でも、簡単且つ確実に、しかも操作性よく行えるようにすることである。
【課題を解決するための手段】
【０００７】
本発明による弦楽器の弦巻装置は、弦楽器（１０）のヘッド部（１２）に回転可能に取り付けられた円柱状の部材をなし、径方向に貫通し、弦（１００）を挿入可能な第１の孔（４０）を備えたペグ（３２）と、前記ペグ（３２）を回転させ、且つ前記ペグ（３２）を任意の回転位置に固定するペグ回転操作部（３４、４６、４８）と、前記ペグ（３２）の外周に回転可能に嵌合した円筒状の部材をなし、前記第１の孔（４０）の軸線方向に整合する位置において径方向に貫通し、弦（１００）を挿入可能な第２の孔（５２）を備えたアウタスリーブ（５０）と、前記第１の孔（４０）と前記第２の孔（５２）とを回転方向に整合させるための位置決め手段とを有する。
【０００８】
この構成によれば、第１の孔（４０）および第２の孔（５２）に弦１００を通し、ペグ回転操作部（３４、４６、４８）によってペグ（３２）を回すだけで、ペグ（３２）に対してアウタスリーブ（５０）が回転方向に偏倚することによって弦（１００）がペグ（３２）とアウタスリーブ（５０）とに挟まれ、弦（１００）がこれらに係止される。これにより、弦張りを、片手操作でも、熟練を要することなく簡単且つ確実に行うことができる。しかも、第１の孔（４０）と第２の孔（５２）とを回転方向に整合させるための位置決め手段が設けらているので、第１の孔（４０）と第２の孔（５２）とを回転方向に整合させる作業が容易に行われ得るようになる。
【０００９】
本発明による弦楽器の弦巻装置は、好ましくは、前記位置決め手段は、前記ペグ（３２）に対する前記アウタスリーブ（５０）の回転を、前記第１の孔（４０）と前記第２の孔（５２）とが同心になる第１の回動位置と前記第１の回動位置より所定角度だけ回転変位した第２の回動位置との間の回動範囲に制限する回動制限機構（６２、６４）を含んでいる。
【００１０】
この構成によれば、ペグ（３２）に対するアウタスリーブ（５０）の回動が、第１の回動位置と第２の回動位置との間の比較的小さい回転角範囲に制限され、アウタスリーブ（５０）を第１の回動位置に位置させるだけで、第１の孔（４０）と第２の孔（５２）とが同心に整合する。これにより、第１の孔（４０）と第２の孔（５２）との整合作業が容易になる。
【００１１】
本発明による弦楽器の弦巻装置は、好ましくは、前記位置決め手段は、前記第１の孔（４０）と前記第２の孔（５２）とが同心になる回動位置に前記アウタスリーブ（５０）が位置している状態の場合に、前記ペグ（３２）と前記アウタスリーブ（５０）とに形成された凹凸部（４１、５３）が互いに係合するクリックストップ機構を含んでいる。
【００１２】
この構成によれば、凹凸部（４１、５３）が互いに係合する回転位置にアウタスリーブ（５０）を回動させるだけで、使用者に節度感が与えられると同時に第１の孔（４０）と第２の孔（５２）とが同心に整合する。これにより、第１の孔（４０）と第２の孔（５２）との整合作業が容易になる。
【００１３】
本発明による弦楽器の弦巻装置は、好ましくは、前記位置決め手段は、前記ペグ（３２）と前記アウタスリーブ（５０）とに付けられて前記第１の孔（４０）と前記第２の孔（５２）とが同心になる回動位置に前記アウタスリーブ（５０）が位置している状態の場合に互いに整合する目視可能なマーク（３２Ａ、５０Ａ）を含んでいる。
【００１４】
この構成によれば、マーク（３２Ａ、５０Ａ）が整合する回転位置にアウタスリーブ（５０）を回動させるだけで、第１の孔（４０）と第２の孔（５２）とが整合する。これにより、第１の孔（４０）と第２の孔（５２）との整合作業が容易になる。
【００１５】
本発明による弦楽器の弦巻装置は、好ましくは、前記第２の孔（５２）の開口面積が前記第１の孔（４０）の開口面積より大きく、前記第２の孔の開口部の外輪郭の全体が前記第１の孔の開口部の外輪郭の外側にある。
【００１６】
この構成によれば、第１の孔（４０）と第２の孔（５２）とを整合させる作業が簡単になる。
【００１７】
本発明による弦楽器の弦巻装置に用いられる前記アウタスリーブ（５０）は、好ましくは、両端部に径方向外方に延出したフランジ（５４）を一体に有する。
【００１８】
この構成によれば、フランジ（５４）により、弦（１００）がアウタスリーブ（５０）の端部の隙間よりペグ（３２）の外周に落ち込むことが回避される。
【００１９】
本発明による弦楽器の弦巻装置に用いられる前記アウタスリーブ（５０）は、軸線方向に延在するすり割り（５６）を有し、Ｃ形状の横断面形状をなしていてもよい。
【００２０】
この構成によれば、弦巻装置（３０）をヘッド部（１２）より取り外すことなく、すり割り（５６）をもってアウタスリーブ（５０）をペグ（３２）の外周に装着することができる。
【発明の効果】
【００２１】
本発明による弦楽器の弦巻装置によれば、第１の孔および第２の孔に弦を通し、ペグ回転操作部によってペグを回すだけで、ペグに対してアウタスリーブが回転方向に偏倚することによって弦がペグとアウタスリーブとに挟まれ、弦がこれらに係止されるから、弦張りを、片手操作でも、熟練を要することなく簡単且つ確実に行うことができる。しかも、第１の孔と第２の孔とを回転方向に整合させるための位置決め手段が設けらているから、第１の孔（４０）と第２の孔（５２）とを回転方向に整合させる作業が容易に行われ得るようになる。
【図面の簡単な説明】
【００２２】
【図１】本発明による弦巻装置を適用された弦楽器のヘッド部の斜視図。
【図２】本発明による弦楽器の弦巻装置の実施形態１を示す分解斜視図。
【図３】実施形態１による弦巻装置の弦張り状態の斜視図。
【図４】実施形態１による弦巻装置の初期状態の断面図。
【図５】実施形態１による弦巻装置の弦張り状態の断面図。
【図６】本発明による弦楽器の弦巻装置の実施形態２を示す分解斜視図。
【図７】実施形態２による弦巻装置の弦張り状態の斜視図。
【図８】実施形態２による弦巻装置の初期状態の断面図。
【図９】実施形態２による弦巻装置の弦張り状態の断面図。
【図１０】本発明による弦楽器の弦巻装置の実施形態３を示す初期状態の断面図。
【図１１】本発明による弦楽器の弦巻装置の実施形態４を示す初期状態の断面図。
【図１２】本発明による弦楽器の弦巻装置の実施形態５を示す弦張り状態の斜視図。
【図１３】実施形態５による弦巻装置に用いられるペグの斜視図。
【図１４】本発明による実施形態６による弦巻装置を適用された弦楽器のヘッド部の部分拡大斜視図。
【図１５】実施形態６による弦巻装置の要部の平面図。
【図１６】図１５の線XVI−XVIに沿った断面図。
【図１７】本発明による弦楽器の弦巻装置に用いられるペグの他の実施形態を示す斜視図。
【図１８】本発明による弦楽器の弦巻装置に用いられるペグの他の実施形態を示す断面図。
【発明を実施するための形態】
【００２３】
本発明による弦楽器の弦巻装置の実施形態１を、図１〜図５を参照して説明する。
【００２４】
図１に示されているように、弦楽器１０はネック部（棹部）１１の先端にヘッド部１２を一体に有する。ヘッド部１２には左右２列に縦長の開口１４が板厚方向に貫通形成されている。ヘッド部１２は、ヘッド部１２の横幅方向（左右方向）で見て、左右の開口１４の各々の外側に縦長の外側梁部１６を有し、左右の開口１４間に中間梁部１８を有する。
【００２５】
左右の外側梁部１６と中間梁部１８とには、ヘッド部１２の長手方向に等間隔をおいて外側梁部１６および中間梁部１８の各々を横幅方向に貫通したペグ支持孔２０、２２が形成されている。ペグ支持孔２０と２２とは、長手方向位置が対応するもの同士で、互いに同一軸線上に形成されている。
【００２６】
ヘッド部１２には左右２列に各々複数個の弦巻装置３０が取り付けられている。弦巻装置３０は、弦楽器１０の弦数と同数設けられるものであり、ギターのように弦数が６であれば、左右に３個ずつ、合計６個設けられる。弦巻装置３０は、左右の外側梁部１６の各々の外側面にねじ２４によって固定された左右２個の金属板製の取付板３１に各々３個ずつ取り付けられている。
【００２７】
弦巻装置３０は、図２〜図５に示されているように、円柱状のペグ３２を有する。ペグ３２は、一端に金属製のウォームホイール３４を取り付けられた金属製の中心軸体３６と、インサート成形によって中心軸体３６の外周に固定されている樹脂製の円筒体３８とにより構成されて全体で見て円柱状をなしている。
【００２８】
ペグ３２には、中心軸体３６および円筒体３８の双方を径方向に貫通し、弦１００を挿入可能な横断面形状が円形の第１の孔４０が形成されている。第１の孔４０の両端にある開口端は、座ぐり加工によって円錐形状部４０Ａに拡径されている。
【００２９】
ペグ３２は、ペグ支持孔２０を回転可能に貫通し、先端をペグ支持孔２２に回転可能に挿入されることにより、ヘッド部１２に回転可能に取り付けられる。換言すると、ペグ３２は、ペグ支持孔２０と２２との嵌合によって、両持ち態様で、ヘッド部１２より回転可能に支持されている。このように取り付けられた状態では、第１の孔４０は開口１４の横幅方向の略中央部に位置し、ウォームホイール３４は外側梁部１６の外側に位置する。
【００３０】
取付板３１には金属板製のウォーム支持ブラット４２が外側に突出する形態で固定されている。ウォーム支持ブラット４２はペグ３２毎に２個ずつペグ３２の軸線方向に直交方向（上下方向）に隔置されて設けられている。対応する２個のウォーム支持ブラット４２は各ペグ３２毎に設けられている金属製のウォーム軸４４を両持ち状態で回転可能に支持している。ウォーム軸４４にはウォーム４６が形成されている。ウォーム４６は対応するウォームホイール３４と噛合している。ウォーム軸４４の一端部には、ウォーム軸４４を手で廻すための樹脂製のつまみ４８がインサート成形によって固定されている。ウォームホイール３４とウォーム４６との噛合によるブレーキ作用によってペグ３２は任意の回転位置に固定される。
【００３１】
以上の弦巻装置３０の構成は従来のものと同じである。本実施形態による弦巻装置３０は、上述の構造に加えて、ペグ３２が開口１４に位置する部分の外周に円筒状の部材によるアウタスリーブ５０が装着されている。アウタスリーブ５０は、アクリル樹脂の透明な樹脂製で、円筒体３８の外径より少し大きい内径を有し、円筒体３８の外周面を回転案内面としてペグ３２の中心軸線周りに回転可能にペグ３２に嵌合している。
【００３２】
アウタスリーブ５０の組み付けは、取付板３１と共にペグ３２をヘッド部１２より取り外した状態で、アウタスリーブ５０を開口１４内のペグ支持孔２０、２２と同心の位置に配置し、ペグ３２をペグ支持孔２０よりアウタスリーブ５０を軸線方向に貫通してペグ支持孔２２へ向けて挿入することにより行われる。
【００３３】
アウタスリーブ５０には第２の孔５２が形成されている。第２の孔５２は、弦１００を挿入可能な横断面形状が円形の孔であり、第１の孔４０の軸線方向に整合する位置においてアウタスリーブ５０を径方向に貫通している。詳細には第１の孔４０はアウタスリーブ５０の中心軸線周りに互いに１８０度回転変位した位置に１つずつ貫通形成されている。これにより、各アウタスリーブ５０の２個の第２の孔５２は、アウタスリーブ５０の同一軸線方向位置にあってアウタスリーブ５０の径方向で見て互いに整合している。第２の孔５２の内径は第１の孔４０の最大内径より大きい孔であってよい。ここで云う第１の孔４０の最大内径は、円錐形状部４０Ａの拡径側の最大内径である。
【００３４】
図２、図３に示されているように、ペグ３２の外周には、より詳細には、円筒体３８の外周には、第１の孔４０の周方向位置を示す目視可能な直線状のマーク（目印）３２Ａが付けられている。アウタスリーブ５０の外周には第２の孔５２の周方向位置を示す目視可能な直線状のマーク（目印）５０Ａが付けられている。
【００３５】
マーク３２Ａと５０Ａとは、アウタスリーブ５０の回転方向の位置決め用のものであり、第１の孔４０と第２の孔５２とが同心になる回動位置にアウタスリーブ５０が位置している状態の場合に、周方向位置に関して互いに整合する。なお、ペグ３２のマーク３２Ａは、アウタスリーブ５０が透明であることにより、アウタスリーブ５０を透してアウタスリーブ５０の外側から目視することができる。
【００３６】
つぎに、弦巻装置３０によって弦楽器１０に弦１００を張る手順について説明する。
【００３７】
まず、つまみ４８を握ってウォーム軸４４を回転させ、ウォーム４６とウォームホイール３４との噛合のもとに、第１の孔４０が略上下方向に延在する回転位置までペグ３２を回転させる。なお、アウタスリーブ５０が透明であるから、アウタスリーブ５０を透して第１の孔４０の回転方向位置（周方向位置）を目視しつつ、この初期作業を作業性よく行うことができる。
【００３８】
つぎに、ペグ３２に対してアウタスリーブ５０を指先で回し、図４に示されているように、第２の孔５２の周方向位置を第１の孔４０の周方向位置に整合させる。この整合作業は、マーク３２Ａと５０Ａとを目視しつつ、マーク５０Ａがマーク３２Ａの周方向位置と同じ位置に位置するまで、ペグ３２に対してアウタスリーブ５０を回すことにより行えばよい。
【００３９】
これにより、比較的小さい第１の孔４０と第２の孔５２とを直接見ながら整合作業を行う場合に比して、当該整合作業を暗い環境下でも、作業性よく迅速に行えるようになる。
【００４０】
なお、第１の孔４０と第２の孔５２との整合は、弦１００を第１の孔４０および第２の孔５２に通すことができる程度に、第１の孔４０と第２の孔５２との少なくとも一部が径方向に整合すればよく、必ずしも第１の孔４０と第２の孔５２とが完全に同心になる整合でなくてもよい。このことは、第２の孔５２の内径が円錐形状部４０Ａによって拡径されている第１の孔４０の最大内径より大きい設定になっていることと相まって、弦１００を通すために必要な第１の孔４０と第２の孔５２との整合作業を楽なものにする。
【００４１】
つぎに、第２の孔５２および第１の孔４０に、一端を図示されていない共鳴胴の駒に係止されている弦１００の他端（端部）を上から下に通す。この弦１００の第２の孔５２および第１の孔４０に対する通しは、弦１００を第２の孔５２および第１の孔４０に通した後、弦１００の他端を軽く引っ張り、弦１００の端部が挿入側とは反対の側の第２の孔５２から余分の長さ分が外方に出る程度まで行う。
【００４２】
つぎに、つまみ４８を握ってウォーム軸４４を反時計廻り方向に回転させる。このウォーム軸４４の回転によってウォームホイール３４と一体にペグ３２が図４に矢印で示す方向（時計廻り方向）に回転する。最初は、アウタスリーブ５０がペグ３２と連れ回りするが、第２の孔５２と第１の孔４０との軸線方向が傾くことにより、図４に仮想線によって示されているように、弦１００が挿入側の第２の孔５２の開口縁に当接すると、弦１００とアウタスリーブ５０との摩擦抵抗によってアウタスリーブ５０を置き去りにするように、アウタスリーブ５０に対してペグ３２が引き続き時計廻り方向に回転する。
【００４３】
これにより、図５に示されているように、第１の孔４０と第２の孔５２との開口位置が周方向に互い偏倚し、符号Ａ（クランプ部Ａ）によって示されているように、円錐形状部４０Ａのアウタスリーブ５０側の開口縁と第２の孔５２のペグ３２側との開口縁との間に弦１００が挟まれ、弦１００がペグ３２とアウタスリーブ５０とに挟まれるようにして係止（クランプ）される。クランプ部Ａは、図５に示されているように、第２の孔５２が１８０度回転変位した２箇所に設けられていれば、第１の孔４０の縦断面視で対角線上の２箇所に存在する。
【００４４】
円錐形状部４０Ａは、第１の孔４０の開口縁とペグ３２の外周面とがなす角度を略９０度から略４５度に変更するから、円錐形状部４０Ａのアウタスリーブ５０側の開口縁と第２の孔５２のペグ３２側との開口縁との間に弦１００を挟む際に、剪断によって弦１００が切れることを防止することに寄与する。
【００４５】
これより以降、つまみ４８を握ってウォーム軸４４を同方向に回すことにより、他端を図示されていない共鳴胴の駒に係止されている弦１００がアウタスリーブ５０の外周に巻き付き、弦１００に張力が与えられる。
【００４６】
アウタスリーブ５０の外周に弦１００が巻き付けられ、弦１００に与えられる張力が増えることに従ってアウタスリーブ５０が弾性変形によって縮径するので、クランプ部Ａにおいて弦１００をペグ３２とアウタスリーブ５０とで挟み込む力が増大し、弦１００のクランプ力が増すことを期待できる。
【００４７】
このように、第１の孔４０および第２の孔５２に弦１００を通し、つまみ４８を回すだけで、弦１００がペグ３２とアウタスリーブ５０とに挟まれるようにしてこれらに確実に係止されるから、しかもマーク３２Ａと５０Ａとを目視しつつ、第１の孔４０と第２の孔５２とを回転方向に整合させる作業を行えるので、弦張りを、片手操作でも、熟練を要することなく簡単且つ確実に、しかも操作性よく迅速に行えるようになる。
【００４８】
本発明による弦楽器の弦巻装置の実施形態２を、図６〜図９を参照して説明する。なお、図６〜９において、図２〜５に対応する部分は、図２〜５に付した符号と同一の符号を付けて、その説明を省略する。
【００４９】
実施形態２では、樹脂製の円筒体３８が省略され、ペグ３２は円柱状の中心軸体３６のみで構成されている。アウタスリーブ５０は、中心軸体３６の外径より少し大きい内径を有し、中心軸体３６の外周面を回転案内面としてペグ３２の中心軸線周りに回転可能にペグ３２に嵌合している。
【００５０】
本実施形態でも、ペグ３２の外周には、より詳細には、中心軸体３６の外周には、第１の孔４０の周方向位置を示す目視可能な直線状のマーク３２Ａが付けられていると共に、透明なアウタスリーブ５０の外周には第２の孔５２の周方向位置を示す目視可能な直線状のマーク（目印）５０Ａが付けられている。マーク３２Ａと５０Ａとは、実施形態１と同様に、第１の孔４０と第２の孔５２とが同心になる回動位置にアウタスリーブ５０が位置している状態の場合に、周方向位置に関して互いに整合する。
【００５１】
実施形態２でも、実施形態１と同様に、マーク３２Ａと５０Ａとを目視しつつ、第１の孔４０と第２の孔５２とを回転方向に整合させ、第１の孔４０および第２の孔５２に弦１００を通し、つまみ４８を回すだけで、弦１００がペグ３２とアウタスリーブ５０とに挟まれ、弦１００がこれらに係止される。したがって実施形態２でも、弦張りを、実施形態１と同様に、片手操作でも、熟練を要することなく簡単且つ確実に、しかも作業性よく迅速に行うことができる。
【００５２】
本発明による弦楽器の弦巻装置の実施形態３を、図１０を参照して説明する。なお、図１０において、図４に対応する部分は、図４に付した符号と同一の符号を付けて、その説明を省略する。
【００５３】
実施形態３では、第１の孔４０と第２の孔５２とを回転方向に整合させるための位置決め手段（ストッパ機構）として、ペグ３２の外周にはストッパ面３９Ａを有する突起３９が形成されていると共に、アウタスリーブ５０の内周にはストッパ面５１Ａを有する凹溝５１が形成されている。突起３９と凹溝５１とによるストッパ機構は、第１の孔４０の回転方向位置と第２の孔５２の回転方向位置とが互い整合する回動位置にアウタスリーブ５０がある状態の時に、ストッパ面３９Ａとストッパ面５１Ａとが当接することにより、ペグ３２に対するアウタスリーブ５０の図１０で見て時計廻り方向のそれ以上の回転を阻止する。
【００５４】
これにより、ストッパ面５１Ａがストッパ面３９Ａに当たるまで、アウタスリーブ５０をペグ３２に対して時計廻り方向に回転させるだけで、第１の孔４０と第２の孔５２とが互いに同心の完全な整合状態にすることができる。このことにより、第１の孔４０と第２の孔５２との位置合わせ作業（整合作業）が確実且つ容易になる。
【００５５】
なお、アウタスリーブ５０に対するペグ３２の図１０で見て時計廻り方向の回転（弦張り方向の回転）は、ストッパ面３９Ａがストッパ面５１Ａより離間する方向の回転であるので、ストッパ機構がその回転を阻害することがない。
【００５６】
突起３９がストッパ面３９Ａとは周方向で見て反対の側にもう一つのストッパ面３９Ｂを有していれば、ペグ３２に対するアウタスリーブ５０の図１０で見て反時計廻り方向の回転により、ストッパ面３９Ｂが第２の孔５２の内周面に当接することで、それ以上の同方向の回転を阻止されるから、ペグ３２に対するアウタスリーブ５０の回転範囲が規制され、第２の孔５２の回転方向位置が第１の孔４０の回転方向位置より大きくずれることがない。このことにより、第１の孔４０と第２の孔５２との整合作業がより一層容易になる。
【００５７】
なお、実施形態３でも、実施形態１と同様に、第１の孔４０および第２の孔５２に弦１００を通し、つまみ４８を回すだけで、弦１００がペグ３２とアウタスリーブ５０とに挟まれ、弦１００がこれらに係止される。したがって実施形態３でも、弦張りを、実施形態１と同様に、作業性のよい整合作業のもとに、片手操作でも、熟練を要することなく簡単且つ確実に、しかも迅速に行うことができる。
【００５８】
本発明による弦楽器の弦巻装置の実施形態４を、図１１を参照して説明する。なお、図１１において、図４に対応する部分は、図４に付した符号と同一の符号を付けて、その説明を省略する。
【００５９】
実施形態４では、ペグ３２の外周に形成された略半球状の突起４１とアウタスリーブ５０の内周に形成された略半球状の凹部５３とによって節度感付与のためのクリックストップ機構が構成されている。突起４１と凹部５３とは、第１の孔４０の回転方向位置と第２の孔５２の回転方向位置とが互いに整合する回動位置にアウタスリーブ５０がある状態の時に係合し、係合によって使用者に節度感を付与する。突起４１と凹部５３との係合は、前述の弦張り時のペグ３２とアウタスリーブ５０との相対回転変位を阻害しない弱い設定である。
【００６０】
実施形態４では、第１の孔４０の回転方向位置と第２の孔５２の回転方向位置とが互い整合する位置（同心位置）にペグ３２に対してアウタスリーブ５０が回されると、凹部５３が突起４１に係合することで使用者に節度感が与えられるので、使用者は第１の孔４０と第２の孔５２との位置合わせ（整合）ができたことを節度感で確実に知ることができる。
【００６１】
これにより、第１の孔４０と第２の孔５２との整合作業を、暗い環境下でも、手に感じる節度感をもって作業性よく迅速且つ確実に行えるようになる。
【００６２】
本発明による弦楽器の弦巻装置の実施形態５を、図１２、図１３を参照して説明する。なお、図１２、図１３において、図３に対応する部分は、図３に付した符号と同一の符号を付けて、その説明を省略する。
【００６３】
実施形態５では、アウタスリーブ５０の両端部にアウタスリーブ５０の外周より径方向外方に延出したフランジ５４が一体成形されている。フランジ５４が設けられていることにより、弦１００がアウタスリーブ５０の端部の隙間よりペグ３２の外周に落ち込むことが回避される。これにより、弦１００がアウタスリーブ５０の端部よりペグ３２の外周に落ち込むことにより、弦１００がペグ３２とアウタスリーブ５０とに絡まってペグ３２の回転が阻止される状態に陥ることがない。
【００６４】
この実施形態でも、アウタスリーブ５０には、マーク５０Ａあるいは不図示のストッパ機構、クリックストップ機構が設けられていてよく、前述の実施形態と同様に、第１の孔４０と第２の孔５２との整合作業を、作業性よく迅速且つ確実に行えるようになる。
【００６５】
本発明による弦楽器の弦巻装置の実施形態６を、図１４〜図１８を参照して説明する。なお、図１４〜図１８において、図１〜図３に対応する部分は、図１〜図３に付した符号と同一の符号を付けて、その説明を省略する。
【００６６】
ペグ３２（中心軸体３６）がヘッド部１２のペグ支持孔２２に挿入される先端部には樹脂製のブッシュ軸受６０が回転自在に取り付けられている。ペグ３２の先端部はペグ支持孔２２に挿入されたブッシュ軸受６０によってヘッド部１２より低摩擦抵抗で回転可能に支持される。
【００６７】
ペグ３２がペグ支持孔２２を貫通する側の端部近傍で開口１４に位置する部分には位置決めピン６２が固定されている。位置決めピン６２は、ペグ支持孔２２を径方向に貫通し、両端部６２Ａがペグ支持孔２２の径方向外方に突出している。
【００６８】
アウタスリーブ５０に形成されている第２の孔５２の内径は、第１の孔４０の円錐形状部４０Ａの最大内径に等しいか、あるいはそれより少し大きい内径になっている。第２の孔５２のアウタスリーブ５０の外周側および内周側の開口端は、各々座ぐり加工によって円錐形状部５２Ａ、５２Ｂに拡径されている。
【００６９】
アウタスリーブ５０がペグ支持孔２２の側に位置する端縁部には、互いに１８０度回転変位した２箇所に平面形状が矩形の切り欠き部６４が形成されている。切り欠き部６４には位置決めピン６２の端部６２Ａが係合している。端部６２Ａは、第１の孔４０と第２の孔５２とが同心にする回動位置（第１の回動位置）にアウタスリーブ５０が位置している状態の時には切り欠き部６４の一方の端壁６４Ａに当接し、アウタスリーブ５０が第１の回動位置より所定角度だけ回転変位した弦張り方向とは反対の側に回転変位（ペグ３２の回転で見れば、弦張り方向の回転変位）した第２の回動位置に位置した時には切り欠き部６４の他方の端壁６４Ｂに当接する。
【００７０】
このようにして、位置決めピン６２と切り欠き部６４とは、ペグ３２に対するアウタスリーブ５０の回転を、第１の孔４０と第２の孔５２とが同心になる第１の回動位置と第１の回動位置より所定角度だけ回転変位した第２の回動位置との間の回動範囲に制限する回動制限機構をなす。
【００７１】
ここでの所定角度、つまり第１の回動位置よりの第２の回動位置の変位角度は、ペグ３２とアウタスリーブ５０との相対回転変位によって、図９に示されている状態と同様に、円錐形状部４０Ａのアウタスリーブ５０側の開口縁と第２の孔５２のペグ３２側との開口縁との間に弦１００が挟まれ、弦１００がペグ３２とアウタスリーブ５０とに係止されるのに必要な角度であり、切り欠き部６４の端壁６４Ａと６４Ｂとの回転方向の離間距離が第２の孔５２の外径、詳細には円錐形状部５２Ｂの最大外径より少し大きければよい。
【００７２】
ペグ３２に対するアウタスリーブ５０の回動が、第１の回動位置と第２の回動位置との間の比較的小さい回転角範囲に制限されるので、第２の孔５２が第１の孔４０より大きく離れた位置に位置することがなく、切り欠き部６４の端壁６４Ａに位置決めピン６２が当たるまでアウタスリーブ５０を回すだけで、つまりアウタスリーブ５０を第１の回動位置に位置させるたけで、第１の孔４０と第２の孔５２とが同心に整合する。
【００７３】
第１の孔４０と第２の孔５２との整合作業が確実且つ容易になり、この整合作業を暗闇で的確に行えるようになる。
【００７４】
アウタスリーブ５０はペグ３２に対して第１の回動位置より第２の回動位置へ回動可能であるから、第１の孔４０および第２の孔５２に弦１００を通し、つまみ４８を回すだけで、ペグ３２とアウタスリーブ５０とに弦１００が挟まれ、弦１００がこれらに係止される。したがって実施形態６でも、弦張りを、実施形態１と同様に、片手操作でも、熟練を要することなく簡単且つ確実に、しかも作業性よく迅速に行うことができる。
【００７５】
円錐形状部５２Ａは、第２の孔５２の開口縁とアウタスリーブ５０の外周面とがなす角度を略９０度から略４５度に変更するから、第２の孔５２のアウタスリーブ外周面側の開口縁において弦１００の急激な折曲が回避され、弦１００がエッジ切れを生じることを防止する。
【００７６】
円錐形状部５２Ｂは、第２の孔５２の開口縁とアウタスリーブ５０の内周面とがなす角度を略９０度から略４５度に変更するから、円錐形状部５２Ａのペグ３２側の開口縁と第１の孔４０のアウタスリーブ５０側との開口縁との間に弦１００を挟む際に、円錐形状部４０Ａと相まって剪断によって弦１００が切れることを防止することに寄与する。
【００７７】
以上、本発明を、その好適な形態実施例について説明したが、当業者であれば容易に理解できるように、本発明はこのような実施形態により限定されるものではなく、本発明の趣旨を逸脱しない範囲で適宜変更可能である。
【００７８】
たとえば、アウタスリーブ５０は、必ずしも完全な円筒体である必要はなく、図１７、図１８に示されているように、アウタスリーブ５０の軸線方向に延在するすり割り５６を有するＣ形断面形状のものであってもよい。すり割り５６を有するアウタスリーブ５０であれば、弦巻装置３０をヘッド部１２より取り外すことなく、すり割り５６を拡げるようにしてペグ３２の外周にアウタスリーブ５０を装着することができる。
【００７９】
すり割り５６を有するアウタスリーブ５０の場合には、アウタスリーブ５０の外周に弦１００が巻き付けられることにより、すり割り５６の割り幅が小さくなるようにアウタスリーブ５０が良好に縮径し、アウタスリーブ５０がペグ３２の外周に密着するので、ペグ３２の外径に対するアウタスリーブ５０の内径の寸法管理が緩和され、ペグ３２の外径に対してアウタスリーブ５０の内径が多少大きくても、円錐形状部４０Ａのアウタスリーブ５０側の開口縁と第２の孔５２のペグ３２側との開口縁との間に弦１００を挟むことが確実に行われる。
【００８０】
なお、ペグ３２に対するアウタスリーブ５０の嵌め易さと強度との観点から、すり割り５６は第２の孔５２に対して９０度の回転位相差がある周方向位置に設けられていることが好ましい。
【００８１】
このアウタスリーブ５０にも、マーク５０Ａあるいは不図示のストッパ機構、クリックストップ機構が設けられていてよく、前述の実施形態と同様に、第１の孔４０と第２の孔５２との整合作業を、作業性よく迅速且つ確実に行えるようになる。
【００８２】
第１の孔４０および第２の孔の横断面形状は円形に限られることはなく、四角形等の多角形であってもよい。
【００８３】
また、上記実施形態に示した構成要素は必ずしも全てが必須なものではなく、本発明の趣旨を逸脱しない限りにおいて適宜取捨選択することが可能である。
【符号の説明】
【００８４】
１０    弦楽器
１１    ネック部
１２    ヘッド部
１４    開口
１６    外側梁部
１８    中間梁部
２０    ペグ支持孔
２２    ペグ支持孔
２４    ねじ
３０    弦巻装置
３１    取付板
３２    ペグ
３２Ａ  マーク
３４    ウォームホイール
３６    中心軸体
３８    円筒体
４８    つまみ
３９    突起
３９Ａ  ストッパ面
３９Ｂ  ストッパ面
４０    第１の孔
４０Ａ  円錐形状部
４１    突起
４２    ウォーム支持ブラット
４４    ウォーム軸
４６    ウォーム
５０    アウタスリーブ
５０Ａ  マーク
５１    凹溝
５１Ａ  ストッパ面
５２    第２の孔
５３    凹部
５４    フランジ
５６    すり割り
６２    位置決めピン
６４    切り欠き部
１００  弦
Ａ      クランプ部
【図１】
2015043057.tif 000003
【図２】
2015043057.tif 000004
【図３】
2015043057.tif 000005
【図４】
2015043057.tif 000006
【図５】
2015043057.tif 000007
【図６】
2015043057.tif 000008
【図７】
2015043057.tif 000009
【図８】
2015043057.tif 000010
【図９】
2015043057.tif 000011
【図１０】
2015043057.tif 000012
【図１１】
2015043057.tif 000013
【図１２】
2015043057.tif 000014
【図１３】
2015043057.tif 000015
【図１４】
2015043057.tif 000016
【図１５】
2015043057.tif 000017
【図１６】
2015043057.tif 000018
【図１７】
2015043057.tif 000019
【図１８】
2015043057.tif 000020